(57)【要約】【課題】特定医行為の包括的指示を行う際に、特定医行為の実施が可能な医療担当者を簡単に特定することができるチーム医療支援装置、その制御方法、チーム医療支援プログラム、及びチーム医療支援システムを提供することを目的とする。【解決手段】チーム医療支援装置１２は、担当者検索部３１Ｂ、配信部３１Ｃ、支援ＤＢ１２Ａを有している。支援ＤＢ１２Ａには、第１関連情報４６が格納されている。第１関連情報４６は、担当者と担当者が実施可能な特定医行為の種類とを関連付けた情報である。担当者検索部３１Ｂは、特定医行為が選択された場合、選択された特定医行為の実施が可能な担当者を検索して担当者検索結果を出力する。配信部３１Ｃは、担当者検索結果を特定医行為の包括的指示を行う管理者の端末へ配信する。【選択図】図３
2016071847.tif 000002
【特許請求の範囲】
【請求項１】
特定医行為について包括的指示が可能な少なくとも１人の医療管理者と、前記医療管理者の包括的指示に基づいて患者に前記特定医行為を行う少なくとも１人の医療担当者とを含むチームによるチーム医療を支援するチーム医療支援装置であって、
前記医療担当者と前記医療担当者が実施可能な特定医行為とが関連付けられた第１関連情報を格納する第１関連情報格納部と、
複数種類の前記特定医行為の中から、前記医療管理者が前記包括的指示を行う少なくとも１つの特定医行為の選択を受け付ける第１選択受付部と、
前記第１関連情報に基づいて、選択された前記特定医行為について実施が可能な医療担当者を検索する担当者検索部と、
前記担当者検索部で検索された担当者検索結果を、前記包括的指示を行う指示元の前記医療管理者に配信する検索結果配信部と、
前記担当者検索結果の中から、前記指示元の前記医療管理者による前記医療担当者の選択を受け付ける第２選択受付部と、
選択された前記医療担当者に、前記包括的指示を配信する包括的指示配信部と、
を備えているチーム医療支援装置。
【請求項２】
前記医療担当者から、前記特定医行為の実施結果の入力を受け付ける実施結果受付部と、
前記実施結果を、前記特定医行為について前記包括的指示を行った前記医療管理者に配信する実施結果配信部と、
を備えている請求項１に記載のチーム医療支援装置。
【請求項３】
前記担当者検索結果には、前記医療担当者による前記特定医行為の実施回数が含まれている請求項１または２に記載のチーム医療支援装置。
【請求項４】
前記担当者検索結果には、前記医療担当者が実施中又は実施予定の作業の有無及び内容のうち少なくとも１つを表す医療担当者の作業状態が含まれている請求項１〜３のいずれか１項に記載のチーム医療支援装置。
【請求項５】
前記包括的指示が行われた前記特定医行為についての質問を前記医療担当者から受け付ける質問受付部と、
前記医療管理者に、前記質問受付部で受け付けた質問を配信する質問配信部と、
前記質問に対する、前記医療管理者の回答を受け付ける回答受付部と、
前記回答を、前記質問を行った前記医療担当者に配信する回答配信部と、
を備えている請求項１〜４のいずれか１項に記載のチーム医療支援装置。
【請求項６】
前記指示元の医療管理者と前記指示元以外の医療管理者とを含む複数の前記医療管理者と、複数の前記医療管理者毎に前記包括的指示が可能な前記特定医行為の種類とが関連付けられた第２関連情報を格納する第２関連情報格納部と、
前記第２関連情報に基づいて、前記指示元以外の医療管理者の中から、前記質問に対する回答が可能な回答者を検索する回答者検索部であり、前記指示元の医療管理者による包括的指示が行われた前記特定医行為と同一の特定医行為について指示が可能な前記回答者を検索する回答者検索部と、
を備えている請求項５に記載のチーム医療支援装置。
【請求項７】
前記回答者検索部において、複数人の前記回答者が抽出された場合に、予め設定されている選定条件に基づいて、複数人の前記回答者の中から、少なくとも１人を選定する回答者選定部を備えている請求項６に記載のチーム医療支援装置。
【請求項８】
前記回答者選定部は、前記医療管理者が実施中又は実施予定の作業の有無及び内容のうち少なくとも１つを表す前記医療管理者の作業状態に基づき、前記回答者を選定する請求項７に記載のチーム医療支援装置。
【請求項９】
前記回答者選定部は、予め設定された複数の前記医療管理者間の関連性に基づいて、前記指示元の医療管理者と関連性が高い前記指示元以外の医療管理者を前記回答者として選定する請求項７または８に記載のチーム医療支援装置。
【請求項１０】
前記回答者選定部は、前記回答者を複数人選定し、
前記質問配信部は、選定された複数人の回答者に対して前記質問を配信する請求項７〜９のいずれか１項に記載のチーム医療支援装置。
【請求項１１】
前記質問配信部は、前記質問の配信方法を変更可能である請求項５〜１０のいずれか１項に記載のチーム医療支援装置。
【請求項１２】
前記質問受付部は、前記特定医行為毎に予め設定された質問の候補を前記医療担当者に配信し、配信した前記質問の候補の中から選択された質問を受け付ける請求項５〜１１のいずれか１項に記載のチーム医療支援装置。
【請求項１３】
前記回答受付部は、前記特定医行為毎に予め設定されている、前記質問に対する回答の候補を前記医療管理者に配信し、配信した前記回答の候補の中から選択された回答を受け付ける請求項５〜１２のいずれか１項に記載のチーム医療支援装置。
【請求項１４】
前記第１選択受付部は、複数種類の前記特定医行為が予め設定された複合行為の選択を受け付け可能である請求項１〜１３のいずれか１項に記載のチーム医療支援装置。
【請求項１５】
特定医行為について包括的指示が可能な少なくとも１人の医療管理者と、前記医療管理者の包括的指示に基づいて患者に前記特定医行為を行う少なくとも１人の医療担当者とを含むチームによるチーム医療を支援するチーム医療支援装置の制御方法であって、
複数種類の前記特定医行為の中から前記医療管理者が前記包括的指示を行う少なくとも１つの特定医行為の選択を受け付ける第１選択受付ステップと、
前記医療担当者と前記医療担当者が実施可能な特定医行為とが関連付けられた第１関連情報に基づいて、選択された前記特定医行為について実施が可能な医療担当者を検索する担当者検索ステップと、
前記担当者検索ステップにおいて検索された担当者検索結果を、前記包括的指示を行う指示元の前記医療管理者に配信する検索結果配信ステップと、
前記担当者検索結果の中から、前記指示元の前記医療管理者による前記医療担当者の選択を受け付ける第２選択受付ステップと、
選択された前記医療担当者に、前記包括的指示を配信する包括的指示配信ステップと、
を備えているチーム医療支援装置の制御方法。
【請求項１６】
特定医行為について包括的指示が可能な少なくとも１人の医療管理者と、前記医療管理者の包括的指示に基づいて患者に前記特定医行為を行う少なくとも１人の医療担当者とを含むチームによるチーム医療を支援するチーム医療支援装置として、コンピュータを機能させるチーム医療支援プログラムであって、
複数種類の前記特定医行為の中から、前記医療管理者が前記包括的指示を行う少なくとも１つの特定医行為の選択を受け付ける第１選択受付ステップと、
前記医療担当者と前記医療担当者が実施可能な特定医行為とが関連付けられた第１関連情報に基づいて、選択された前記特定医行為について実施が可能な医療担当者を検索する担当者検索ステップと、
前記担当者検索ステップにおいて検索された担当者検索結果を、前記包括的指示を行う指示元の前記医療管理者に配信する検索結果配信ステップと、
前記担当者検索結果の中から、前記指示元の前記医療管理者による前記医療担当者の選択を受け付ける第２選択受付ステップと、
選択された前記医療担当者に、前記包括的指示を配信する包括的指示配信ステップと、
を備えているチーム医療支援プログラム。
【請求項１７】
特定医行為について包括的指示が可能な少なくとも１人の医療管理者及び前記包括的指示に基づいて患者に前記特定医行為を行う少なくとも１人の医療担当者が使用する端末と、前記医療管理者及び前記医療担当者を含むチームによるチーム医療を支援するチーム医療支援装置と、を備えているチーム医療支援システムであって、
前記チーム医療支援装置は、
前記医療担当者と前記医療担当者が実施可能な特定医行為とが関連付けられた第１関連情報を格納する第１関連情報格納部と、
複数種類の前記特定医行為の中から、前記医療管理者が前記包括的指示を行う少なくとも１つの特定医行為の選択を受け付ける第１選択受付部と、
前記第１関連情報に基づいて、選択された前記特定医行為について実施が可能な医療担当者を検索する担当者検索部と、
前記担当者検索部で検索された担当者検索結果を、前記包括的指示を行う指示元の前記医療管理者に配信する検索結果配信部と、
前記担当者検索結果の中から、前記指示元の前記医療管理者による前記医療担当者の選択を受け付ける第２選択受付部と、
選択された前記医療担当者に、前記包括的指示を配信する包括的指示配信部と、
を備えているチーム医療支援システム。
【発明の詳細な説明】
【技術分野】
【０００１】
本発明は、チーム医療支援装置、チーム医療支援装置の制御方法、チーム医療支援プログラム、及びチーム医療支援システムに関するものである。
【背景技術】
【０００２】
医療現場においては、医師や看護師などの複数人の医療スタッフをメンバーとしてチームを編成して、患者の診療を行うチーム医療が普及しており、こうしたチーム医療を支援するための医療管理システムも提案されている。例えば、特許文献１の医療管理システムでは、管理サーバによって看護師の予定情報が格納された予定情報データベースを管理し、管理サーバから看護師の携帯端末に予定情報を配信している。看護師は、携帯端末に配信された予定情報にしたがって補助業務を行うことにより、医師から指示された補助業務の実施忘れが生じないようにしている。
【先行技術文献】
【特許文献】
【０００３】
【特許文献１】特開２０１０−０１５２５５号公報
【発明の概要】
【発明が解決しようとする課題】
【０００４】
ところで、現在のところ、チーム医療を行う際においても、医師以外の医療スタッフによる医行為の実施は禁止されているが、将来的に、医療現場の慢性的な人手不足を解消して医療の質向上を図るために、所定の研修を受けた看護師に「特定看護師」などの資格を付与し、この特定看護師による特定医行為についての実施を認める「特定看護師制度」の導入が検討されている。
【０００５】
特定看護師制度の制度案において、医行為とは、一般的に、「医師の医学的判断および技術をもってするのでなければ人体に危害を及ぼし、または危害を及ぼすおそれのある行為」をいい、特定医行為とは、医行為のうち、「医師又は歯科医師の指示の下、診療の補助のうち、実践的な理解力、思考力及び判断力を要し、かつ高度な専門知識及び技能をもって行う必要のある行為」をいう、と定義されている。なお、特定医行為は、医療分野においては、単に「特定行為」とも呼ばれる。また、医療スタッフは、チームを管理して医行為を行う医療管理者と、医療管理者の指示に基づいて医療管理者の医行為を補助する補助業務を行う医療担当者とに分類される。医療管理者は、主に医師が担当し、医療担当者には、看護師や救急救命士、薬剤師など、医師以外の医療資格を有する者が含まれる。
【０００６】
特定看護師制度の制度案では、医師による包括的な指示に基づいて、特定看護師が特定医行為を実施できるようにすることが検討されている。包括的指示とは、「実施する特定医行為の内容と、この特定医行為を実施するか否かを特定看護師が判断するための判断内容とを含む指示」である。ここで、判断内容とは、看護師による患者の病態確認の内容である。例えば、特定医行為が「一時的ペースメーカーの抜去」である場合、この特定医行為の判断内容は、「血圧、動悸や不整脈の有無など」とされている。医師から包括的指示を受けた特定看護師は、判断内容に基づいて患者の病態確認を行い、特定医行為の実施が可能と判断した場合には、指示された特定医行為を実施する。
【０００７】
特定看護師制度の制度案では、例えば、褥瘡の壊死組織の除去や、 中心静脈カテーテルの抜去、胃ろうチューブの交換など、数十種類の医行為が特定医行為の候補として挙げられており、数十種類の特定医行為を判断内容の類型毎に複数種類の行為群に分類し、行為群毎に研修を受けた場合に、その行為群に含まれる特定医行為を行えるようにすることが検討されている。そのため、チームに複数の特定看護師が所属している場合でも、特定看護師毎に実施可能な特定医行為が異なるという状況が生じ得る。
【０００８】
特定看護師制度においてチーム医療を実施する場合には、医療管理者による医療担当者への指示伝達を明確にして、医療担当者による補助業務の実施忘れが生じないようにすることが望まれている。特に、特定看護師制度では、従来は医師のみが実施可能とされていた医行為を特定看護師が行うことになるため、医師から特定看護師に対する包括的指示を適切に行えるようにすることが必要となる。そこで、特定看護師制度における包括的指示の伝達に、特許文献１に記載の医療管理システムを利用することが考えられる。
【０００９】
しかしながら、特許文献１に記載の医療管理システムを特定看護師制度に利用するには、機能的に不十分であり、改良の余地があった。というのも、特定看護師制度のチームでは、従来の補助業務のみが実施可能な看護師と、特定看護師とが混在することになる。また、特定看護師においても、実施可能な特定医行為が異なる特定看護師が混在することになる。特許文献１に記載の医療管理システムでは、実施可能な行為を看護師毎に区別して管理する機能を有していない。そのため、医師が特定医行為についての包括的指示を特定看護師に行う場合において、特許文献１に記載の医療管理システム上では、どの特定看護師がどのような特定医行為を実施可能か判断できないという問題がある。
【００１０】
本発明は、医行為の包括的指示を行う際に、特定医行為の実施が可能な医療担当者を簡単に特定することができるチーム医療支援装置、その制御方法、チーム医療支援プログラム、及びチーム医療支援システムを提供することを目的とする。
【課題を解決するための手段】
【００１１】
本発明のチーム医療支援装置は、特定医行為について包括的指示が可能な少なくとも１人の医療管理者と、医療管理者の包括的指示に基づいて患者に特定医行為を行う少なくとも１人の医療担当者とを含むチームによるチーム医療を支援するチーム医療支援装置であって、第１関連情報格納部、第１選択受付部、担当者検索部、第２選択受付部、及び包括的指示配信部とを備えている。第１関連情報格納部は、医療担当者と医療担当者が実施可能な特定医行為とが関連付けられた第１関連情報を格納する。第１選択受付部は、複数種類の特定医行為の中から、医療管理者が包括的指示を行う少なくとも１つの特定医行為の選択を受け付ける。担当者検索部は、第１関連情報に基づいて、選択された特定医行為について実施が可能な医療担当者を検索する。検索結果配信部は、担当者検索部で検索された担当者検索結果を、包括的指示を行う指示元の医療管理者に配信する。第２選択受付部は、担当者検索結果の中から、指示元の医療管理者による医療担当者の選択を受け付ける。包括的指示配信部は、選択された医療担当者に、包括的指示を配信する。
【００１２】
医療担当者から、特定医行為の実施結果の入力を受け付ける実施結果受付部と、
実施結果を、特定医行為について包括的指示を行った医療管理者に配信する実施結果配信部とを備えていることが好ましい。
【００１３】
担当者検索結果には、医療担当者による特定医行為の実施回数が含まれていることが好ましい。
【００１４】
担当者検索結果には、医療担当者が実施中又は実施予定の作業の有無及び内容のうち少なくとも１つを表す医療担当者の作業状態が含まれていることが好ましい。
【００１５】
包括的指示が行われた特定医行為についての質問を医療担当者から受け付ける質問受付部と、医療管理者に、質問受付部で受け付けた質問を配信する質問配信部と、質問に対する、医療管理者の回答を受け付ける回答受付部と、回答を、質問を行った医療担当者に配信する回答配信部とが好ましい。
【００１６】
指示元の医療管理者と指示元以外の医療管理者とを含む複数の医療管理者と、複数の医療管理者毎に包括的指示が可能な特定医行為の種類とが関連付けられた第２関連情報を格納する第２関連情報格納部と、第２関連情報に基づいて、指示元以外の医療管理者の中から、質問に対する回答が可能な回答者を検索する回答者検索部であり、指示元の医療管理者による包括的指示が行われた特定医行為と同一の特定医行為について指示が可能な回答者を検索する回答者検索部とを備えていることが好ましい。
【００１７】
回答者検索部において、複数人の回答者が抽出された場合に、予め設定されている選定条件に基づいて、複数人の回答者の中から、少なくとも１人を選定する回答者選定部を備えていることが好ましい。
【００１８】
回答者選定部は、医療管理者が実施中又は実施予定の作業の有無及び内容のうち少なくとも１つを表す医療管理者の作業状態に基づき、回答者を選定することが好ましい。
【００１９】
回答者選定部は、予め設定された複数の医療管理者間の関連性に基づいて、指示元の医療管理者と関連性が高い指示元以外の医療管理者を回答者として選定することが好ましい。
【００２０】
回答者選定部は、回答者を複数人選定し、質問配信部は、選定された複数人の回答者に対して質問を配信することが好ましい。
【００２１】
質問配信部は、質問の配信方法を変更可能であることが好ましい。
【００２２】
質問受付部は、特定医行為毎に予め設定された質問の候補を医療担当者に配信し、配信した質問の候補の中から選択された質問を受け付けることが好ましい。
【００２３】
回答受付部は、特定医行為毎に予め設定されている、質問に対する回答の候補を医療管理者に配信し、配信した回答の候補の中から選択された回答を受け付けることが好ましい。
【００２４】
第１選択受付部は、複数種類の特定医行為が予め設定された複合行為の選択を受け付け可能であることが好ましい。
【００２５】
本発明のチーム医療支援装置の制御方法は、特定医行為について包括的指示が可能な少なくとも１人の医療管理者と、医療管理者の包括的指示に基づいて患者に特定医行為を行う少なくとも１人の医療担当者とを含むチームによるチーム医療を支援するチーム医療支援装置の制御方法であって、第１選択受付ステップ、担当者検索ステップ、検索結果配信ステップ、第２選択受付ステップ、及び包括的指示配信ステップを備えている。第１選択受付ステップは、複数種類の特定医行為の中から医療管理者が包括的指示を行う少なくとも１つの特定医行為の選択を受け付ける。担当者検索ステップは、医療担当者と医療担当者が実施可能な特定医行為とが関連付けられた第１関連情報に基づいて、選択された特定医行為について実施が可能な医療担当者を検索する。検索結果配信ステップは、担当者検索部で検索された担当者検索結果を、包括的指示を行う指示元の医療管理者に配信する。第２選択受付ステップは、担当者検索結果の中から、指示元の医療管理者による医療担当者の選択を受け付ける。包括的指示配信ステップは、選択された医療担当者に、包括的指示を配信する。
【００２６】
本発明のチーム医療支援プログラムは、特定医行為について包括的指示が可能な少なくとも１人の医療管理者と、医療管理者の包括的指示に基づいて患者に特定医行為を行う少なくとも１人の医療担当者とを含むチームによるチーム医療を支援するチーム医療支援装置として、コンピュータを機能させるチーム医療支援プログラムであって、第１選択受付ステップ、担当者検索ステップ、検索結果配信ステップ、第２選択受付ステップ、及び包括的指示配信ステップを備えている。
【００２７】
本発明のチーム医療支援システムは、特定医行為について包括的指示が可能な少なくとも１人の医療管理者及び包括的指示に基づいて患者に特定医行為を行う少なくとも１人の医療担当者が使用する端末と、医療管理者及び医療担当者を含むチームによるチーム医療を支援するチーム医療支援装置と、を備えているチーム医療支援システムであって、チーム医療支援装置は、第１関連情報格納部、第１選択受付部、担当者検索部、第２選択受付部、及び包括的指示配信部とを備えている。
【発明の効果】
【００２８】
本発明によれば、医行為の包括的指示を行う際に、特定医行為の実施が可能な医療担当者を簡単に特定することができる。
【図面の簡単な説明】
【００２９】
【図１】チーム医療支援システムの構成図である。
【図２】コンピュータの概略構成図である。
【図３】チーム医療支援装置の機能ブロック図である。
【図４】特定医行為選択画面の説明図である。
【図５】第１関連情報の説明図である。
【図６】スケジュール情報の説明図である。
【図７】担当者選択画面の説明図である。
【図８】判断内容入力画面の説明図である。
【図９】包括的指示表示画面の説明図である。
【図１０】実施結果入力画面の説明図である。
【図１１】質問入力画面の説明図である。
【図１２】回答入力画面の説明図である。
【図１３】チーム医療支援システムを用いた処理手順を示すフローチャートである。
【図１４】第２実施形態の質問入力画面の説明図である。
【図１５】第２実施形態の回答入力画面の説明図である。
【図１６】第３実施形態のチーム医療支援装置の機能ブロック図である。
【図１７】第２関連情報の説明図である。
【図１８】第３実施形態のフローチャートである。
【図１９】複数の回答があった場合のフローチャートである。
【発明を実施するための形態】
【００３０】
「第１実施形態」
図１において、本発明のチーム医療支援システム１０は、病院（医療施設）１１に構築され、チーム医療支援サーバ（チーム医療支援装置に相当）１２と、チーム医療支援サーバ１２と通信可能に接続される管理者端末１３、担当者端末１４とを備えている。チーム医療支援システム１０は、将来的な導入が検討されている特定看護師制度を前提としたチーム医療を支援するシステムである。
【００３１】
特定看護師制度を前提とするチーム医療では、医療管理者（以下、単に管理者という）と、医療担当者（以下、単に担当者という）との複数人の医療スタッフをメンバーとしてチームを編成して、患者の診療に当たる。管理者になる資格は医師のみが持ち、担当者は、管理者からの包括的指示に基づいて特定医行為を実施する。担当者は、看護師の他、救急救命士、薬剤師など、医師以外の医療資格を有する者であってもよい。本例においては、医師である管理者Ｄ１と、看護師である担当者Ｎ１、Ｎ２がチームＴを編成して特定医行為を実施する例で説明を行う。管理者Ｄ１以外の管理者Ｄ２、Ｄ３は、チームＴの正式なメンバーではないが、チームＴのメンバーと同じ病院１１の医師であり、必要に応じてチームＴへの協力が可能な立場にあるものとする。
【００３２】
管理者は、特定医行為の包括的指示を与える場合には、まず、包括的指示の対象となる特定医行為を実施可能な担当者を調べる必要がある。そして、実施可能な担当者を調べた後、実施可能な担当者に対して判断内容を提示して包括的指示を与える。また、包括的指示を受ける担当者は、包括的指示を受けた後、特定医行為の実施に際して、管理者に対して、具体的な指示に関する質問をしなければならない場合がある。この場合には、指示元の管理者に対して質問をして回答を得ることになる。チーム医療支援システム１０は、こうした包括的指示に基づく特定医行為を行うチーム医療に適した支援機能を備えている。
【００３３】
管理者端末１３及び担当者端末１４は、例えば、スマートフォン、タブレット型端末、ノート型端末などの無線通信機能を備えた携帯端末である。なお、本例では、携帯端末を例に説明しているが、据え置き型の端末を使用してもよい。
【００３４】
チーム医療支援サーバ１２と、管理者端末１３及び担当者端末１４とは、病院１１内に敷設された通信ネットワークであるＬＡＮ（Local Area Network）１７によって相互に通信可能に接続される。ＬＡＮ１７は、ケーブルによる有線接続及び無線アクセスポイントによる無線接続が可能である。ＬＡＮ１７には、カルテサーバ１８、画像サーバ１９、ＶＰＮ（Virtual Private Network）ルータ２１も接続されており、チーム医療支援システム１０は、ＬＡＮ１７を介して、カルテサーバ１８、画像サーバ１９にアクセスすることが可能である。カルテサーバ１８、画像サーバ１９、ＶＰＮルータ２１は、チーム医療支援システム１０とともに、病院１１の院内システムを構成する。
【００３５】
カルテサーバ１８は、患者の電子カルテを配信するサーバであり、電子カルテを検索可能に格納するカルテＤＢ（Data Base）１８Ａを備えている。画像サーバ１９は、患者の検査画像を配信するサーバであり、検査画像を検索可能に格納する画像ＤＢ１９Ａを備えている。
【００３６】
院内システムにおいては、病院１１内から病院１１外のインターネット２２などの外部の通信ネットワークへの情報漏洩や、外部の通信ネットワークから内部の通信ネットワークであるＬＡＮ１７及び院内システムへの不法侵入に対する対策として、ＶＰＮルータ２１を用いることによりＶＰＮが構築されている。ＬＡＮ１７やインターネット２２では、ＴＣＰ／ＩＰで規定されたＩＰパケットの形態でデータが転送される。ＶＰＮルータ２１は、ネットワーク上で転送されるＩＰパケットについて、ＩＰパケットに含まれるＩＰアドレスに基づいて通信経路の選択（ルーティング）を行う通常のルータ機能に加えて、暗号化機能を備えたものである。
【００３７】
管理者Ｄ３の管理者端末１３は、ＶＰＮルータ２１に対応したアクセス権限が付与されており、管理者Ｄ３は、院外にいる場合でも、ＶＰＮルータ２１を経由して院内システムにアクセスすることができる。
【００３８】
図２に示すように、チーム医療支援サーバ１２は、パーソナルコンピュータやワークステーションなどのコンピュータをベースに、オペレーティングシステムなどの制御プログラムや、コンピュータをチーム医療支援サーバ１２として機能させるためのアプリケーションプログラム（ＡＰ：Application Program）４０をインストールして構成される。ＡＰ４０は、チーム医療支援プログラムに相当する。
【００３９】
チーム医療支援サーバ１２は、ＣＰＵ（Central Processing Unit）３１、メモリ３２、ストレージデバイス３３、通信Ｉ／Ｆ（Inter/face）３４、入出力部３６が設けられており、これらはデータバス３７を介して接続されている。入出力部３６は、ディスプレイなどの表示部３８と、マウスやキーボードなどの入力デバイス３９で構成される。
【００４０】
ストレージデバイス３３は、各種データを格納するデバイスであり、例えば、ハードディスクドライブで構成される。ストレージデバイス３３は、制御プログラムや、ＡＰ４０が格納される。
【００４１】
メモリ３２は、ＣＰＵ３１が処理を実行するためのワークメモリであり、例えば、ＲＡＭ（Random Access Memory）で構成される。ＣＰＵ３１は、ストレージデバイス３３に格納された制御プログラムを、メモリ３２へロードして、プログラムに従った処理を実行することにより、コンピュータの各部を統括的に制御する。通信Ｉ／Ｆ３４は、ＬＡＮ１７に接続するための伝送制御を行う。チーム医療支援サーバ１２は、通信Ｉ／Ｆ３４を介してＬＡＮ１７に接続して、管理者端末１３、担当者端末１４等と通信を行う。
【００４２】
管理者端末１３及び担当者端末１４も、コンピュータであるため、ＣＰＵ、メモリ、ストレージデバイス、入出力部などの基本的な構成はチーム医療支援サーバ１２と同様である。ただし、管理者端末１３及び担当者端末１４は、携帯端末であるため、入出力部としては、例えば、タッチパネル式のディスプレイなどが使用される。管理者端末１３及び担当者端末１４には、ＧＵＩ（Graphical User Interface）による操作画面が表示され、ディスプレイを通じて操作入力が行われる。
【００４３】
チーム医療支援サーバ１２において、ＡＰ４０が起動すると、ＣＰＵ３１は、メモリ３２と協働して、要求振り分け部３１Ａ、担当者検索部３１Ｂ、配信部３１Ｃ、通知作成部３１Ｄ、質問／回答受付部３１Ｅ、実施結果受付部３１Ｆとして機能する。
【００４４】
要求振り分け部３１Ａは、管理者端末１３及び担当者端末１４から、各種の要求を受信して、受信した要求を各部に振り分ける処理を行う。各種の要求としては、例えば、管理者端末１３から担当者宛に特定医行為の包括的指示を作成して送信するための送信要求や、担当者端末１４から、管理者宛の質問の送信要求などがある。
【００４５】
また、特定医行為の包括的指示の作成においては、管理者端末１３から、包括的指示を行う特定医行為の選択情報、包括的指示を与える担当者の選択情報、及び包括的指示に必要な判断内容などが送信される。要求振り分け部３１Ａは、特定医行為の選択情報を担当者検索部３１Ｂに入力し、担当者の選択情報及び判断内容を通知作成部３１Ｄに入力する。
【００４６】
図４に示すように、特定医行為の選択は、例えば、特定医行為選択画面４１において行われる。特定医行為選択画面４１では、包括的指示を行うことが可能な特定医行為の種類がリスト表示される。図４においては、特定医行為Ａ（直接動脈穿刺による採血）、特定医行為Ｂ（気管挿管チューブの位置調節）、特定医行為Ｃ（気管カニューレの交換）、特定医行為Ｄ（一時的ペースメーカーの抜去）などが表示されている。
【００４７】
また、特定医行為選択画面４１には、特定医行為Ｆ、Ｇ、Ｈといった複数種類の特定医行為が予め設定された複合行為が表示されており、このような複合行為を選択することも可能である。複合行為は、作業順序などが決められている複数種類の特定医行為の組み合わせである。複合行為を選択することにより、こうした一連の行為を一括して指示することができる。なお、複合行為を指示する場合において、複合行為に含まれる複数の特定医行為について、１人の担当者にすべて担当させる他に、異なる担当者に分担させる形態で指示できるようにしてもよい。
【００４８】
また、特定医行為選択画面４１において、表示される特定医行為の種類については、患者あるいは傷病に応じて、種類が絞り込まれるようにしてもよい。こうすれば、患者や傷病との関係で必要な特定医行為が表示されるので、使いやすい。
【００４９】
特定医行為選択画面４１は、例えば、管理者端末１３にインストールされたアプリケーションプログラムによって生成される。もちろん、管理者端末１３がチーム医療支援サーバ１２にアクセスして、チーム医療支援サーバ１２から配信されるようにしてもよい。特定医行為選択画面４１において、各特定医行為の表示部分は、選択操作部となっている。例えば、特定医行為Ａを指などでタッチ操作すると、選択された特定医行為Ａの表示部分が他の表示部分と識別可能に表示される。そして、特定医行為Ａの選択情報が管理者端末１３からチーム医療支援サーバ１２に送信される。
【００５０】
担当者検索部３１Ｂは、複合行為を含む特定医行為の選択情報を受け付けて、選択された特定医行為を実施することが可能な担当者を検索する。ここで、担当者検索部３１Ｂは、管理者からの特定医行為の選択情報を受け付けているので、複数種類の特定医行為の中から、管理者が包括的指示を行う少なくとも１つの特定医行為の選択を受け付ける第１選択受付部としても機能する。
【００５１】
チーム医療支援サーバ１２には、支援ＤＢ１２Ａが設けられている。支援ＤＢ１２Ａには、担当者と担当者が実施可能な特定医行為とが関連付けられた第１関連情報４６と、担当者及び管理者を含む病院１１内の医療スタッフのスケジュール情報４７と、チーム医療支援サーバ１２と、管理者端末１３や担当者端末１４との間の通信の履歴情報を記録する通信履歴５０とが格納されている。支援ＤＢ１２Ａは、ハードディスクなどのデータストレージデバイスで構成され、第１関連情報４６を格納する第１関連情報格納部として機能する。
【００５２】
図５に示すように、第１関連情報４６には、例えば、各看護師Ｎ１〜Ｎ３の実施可能な特定医行為の種類に加えて、各特定医行為の実施回数が記録されている。担当者Ｎ１は、特定医行為Ａ（直接動脈穿刺による採血）と特定医行為Ｂ（気管挿管チューブの位置調節）の２種類の特定医行為が可能で、それぞれの実施回数は、１０回と５回である。担当者Ｎ２は、担当者Ｎ１と同様に特定医行為Ａが可能であるが、実施回数は７回であり、担当者Ｎ１と比較して実施回数が少ない。また、担当者Ｎ２は、担当者Ｎ１が実施できない特定医行為Ｃが可能である。このように、担当者毎に実施可能な特定医行為が異なる。
【００５３】
図６に示すように、スケジュール情報４７は、管理者及び担当者を含む医療スタッフ毎の複数の作業スケジュールで構成されている。例えば、作業スケジュールには、担当者Ｎ１の作業スケジュールＮ１に示されているように、作業日時と作業内容が記録されている。作業内容は、回診、手術などの作業項目と、病棟、手術室などの作業場所とを含んでいる。
【００５４】
担当者検索部３１Ｂは、第１関連情報４６を参照して、選択された特定医行為の実施が可能な看護師を検索して担当者検索結果を出力する。また、担当者検索部３１Ｂは、スケジュール情報４７を参照して、担当者検索結果に、担当者の作業状態に関する情報を挿入する。作業状態とは、担当者が現在実施中又は実施予定の作業の有無と、その作業内容のうち少なくとも１つを表す情報である。担当者検索結果は、配信部３１Ｃによって、特定医行為を選択した指示元の管理者端末１３に対して配信される。配信部３１Ｃは、検索結果配信部として機能する。なお、支援ＤＢ１２Ａには、病院１１内の医療スタッフの宛先のアドレスを記録したアドレス情報（図示せず）が格納されており、配信部３１Ｃは、アドレス情報を参照して、配信先のアドレスを取得する。
【００５５】
図７に示すように、担当者検索結果は、具体的には、担当者選択画面４８の形態で管理者端末１３に配信される。担当者選択画面４８は、選択された特定医行為が実施可能な担当者をリスト表示する。本例では、特定医行為Ａが選択された場合の担当者のリストを示している。リストにおいて、担当者毎に、第１関連情報４６から読み出された実施回数と、作業状態が表示される。例えば、現在実施中の作業が有る場合には、「作業中」と表示され、現在実施中の作業が無い場合には、「作業無し」、あるいは、作業予定が有る場合には、「作業予定」と表示される。作業状態をタッチ操作すると、詳細な作業スケジュールを表示することが可能である。
【００５６】
このように、担当者選択画面４８には、選択した特定医行為の実施が可能な担当者と、各担当者の当該特定医行為の実施回数と、作業状態とが表示される。実施回数や作業状態は、管理者が、選択可能な担当者が複数人いる場合において、複数の担当者の中から１人の担当者を選定するための参考情報として利用することができる。
【００５７】
担当者選択画面４８において、例えば、担当者Ｎ１の表示部分をタッチする操作により、１人の担当者が選択されると、図８に示す判断内容入力画面４９に遷移する。包括的指示を行うためには、特定医行為の種類の選択に加えて、選択された特定医行為を実施する際に担当者が判断しなければならない判断内容を提示する必要がある。判断内容入力画面４９は、選択された特定医行為の判断内容を、管理者Ｄ１が入力するための画面である。
【００５８】
本例では、特定医行為Ａ（直接動脈穿刺による採血）が選択されているので、判断内容入力画面４９には、特定医行為Ａを実施する際の判断内容が入力される。特定医行為Ａの判断内容は、呼吸回数とＳＰＯ２（血液中の酸素飽和度）の２つの項目に関して、患者の測定値が適正範囲に入っているかを判断するというものである。担当者Ｎ１は、特定医行為Ａを実施する前に、患者の呼吸回数とＳＰＯ２を測定し、測定値が適正範囲に入っている場合には、患者に対して特定医行為Ａを実施可能と判断して、特定医行為Ａを実施する。
【００５９】
判断内容入力欄４９Ａには、呼吸回数とＳＰＯ２の２つの項目と、各項目の上限値及び下限値が適正範囲として入力されている。チーム医療支援サーバ１２や管理者端末１３のアプリケーションプログラムには、特定医行為毎の判断内容と適正範囲の標準値がプリセットされており、判断内容入力画面４９の初期状態においては、プリセットされた内容が入力されて表示される。
【００６０】
判断内容入力欄４９Ａの適正範囲は、例えば、成人の標準値が表示される。もちろん、判断内容入力欄４９Ａにおいて、各項目の適正範囲の標準値を管理者が適宜変更できるようにしてもよい。また、管理者の入力値について、管理者端末１３が自動的にチェックを行い、入力値が適正範囲から大きく外れているような場合には、その旨の警告を行ってもよい。この場合には、管理者端末１３が、入力値が許容範囲に入っているか否かをチーム医療支援サーバ１２に問い合わせるようにしてもよい。このように入力値をチェックすることで、管理者の入力ミスを減らすことができる。
【００６１】
判断内容入力欄４９Ａの下方には、その他の指示事項や実施希望日時を入力する入力欄４９Ｂ、４９Ｃが設けられている。判断内容に追加する指示や項目が有る場合には、入力欄４９Ａに入力する。入力欄４９Ａは、特定医行為を実施する実施日時が入力される。例えば、入力欄４９Ａ、４９Ｂをタッチ操作すると、タッチ操作可能なキーボードが表示され、表示されたキーボードを利用して文字入力が可能になる。
【００６２】
入力欄４９Ｂの下方には、ＯＫボタン４９Ｄとキャンセルボタン４９Ｅが設けられている。ＯＫボタン４９Ｄは、入力した内容で包括的指示を送信する指示をする操作部であり、キャンセルボタン４９Ｅは、入力内容をキャンセルして担当者選択画面４８に復帰するためのボタンである。ＯＫボタン４９Ｄが操作されると、管理者端末１３から、包括的指示を送信する送信要求がチーム医療支援サーバ１２に送信される。送信要求には、担当者の選択情報と入力した判断内容が含まれる。
【００６３】
図３において、要求振り分け部３１Ａは、包括的指示の送信要求を受信した場合には、担当者の選択情報と判断内容を通知作成部３１Ｄに入力する。通知作成部３１Ｄは、担当者の選択を受け付けて、選択された担当者宛の包括的指示通知を作成する。ここで、通知作成部３１Ｄは、担当者検索結果の中から管理者による担当者の選択を受け付ける第２選択受付部として機能する。作成した包括的指示通知は、配信部３１Ｃによって担当者宛のアドレスに送信されて、担当者端末に配信される。例えば、担当者選択画面４８において、担当者Ｎ１が選択されている場合には、担当者Ｎ１のアドレスに送信されて、担当者端末１４に配信される。このように、配信部３１Ｃは、包括的指示配信部として機能する。
【００６４】
図９に示すように、包括的指示通知は、担当者端末１４において、包括的指示表示画面５１に表示される。包括的指示表示画面５１には、指示元の管理者の表示、特定医行為の種類の表示欄５１Ａ、判断内容を表示する表示欄５１Ｂ、その他指示事項及び実施希望日時を表示する表示欄５１Ｃ、５１Ｄが設けられている。表示欄５１Ｂ、５１Ｃ、５１Ｄは、図８に示した判断内容入力画面４９の入力欄４９Ａ、入力欄４９Ｂ、４９Ｃの内容に対応している。担当者は、これらの表示により、特定医行為の種類と判断内容を含む包括的指示の内容を把握することができる。
【００６５】
表示欄５１Ｄの下方には、実施開始ボタン５１Ｅ、実施完了ボタン５１Ｆ、質問ボタン５１Ｇが設けられている。実施開始ボタン５１Ｅは、担当者Ｎ１が特定医行為の実施を開始する場合に操作するボタンであり、実施開始ボタン５１Ｅが操作されると、開始通知が指示元の管理者Ｄ１に配信される。これにより、管理者Ｄ１は、担当者Ｎ１が特定医行為の実施を開始したことを知ることができる。実施完了ボタン５１Ｆは、特定医行為の実施が完了した場合に操作されるボタンである。実施完了ボタン５１Ｆが操作されると、実施結果報告を作成するための実施結果入力画面５２に遷移する。
【００６６】
図１０に示すように、実施結果入力画面５２は、選択された特定医行為の種類を表示する表示欄５２Ａ、報告内容を入力する入力欄５２Ｂ、その他報告事項を入力する入力欄５２Ｃ、及び実際の実施日時を入力する入力欄５２Ｄが設けられている。入力欄５２Ｂは、判断内容の項目（本例では呼吸回数とＳＰＯ２）に関して、患者の測定値が報告値として入力される。その他報告事項があれば、入力欄５２Ｃに入力される。
【００６７】
入力欄５２Ｄの下方には、添付ボタン５２Ｅ、報告ボタン５２Ｆ、キャンセルボタン５２Ｇが設けられている。添付ボタン５２Ｅは、動画、写真、音声などのデータを添付するためのボタンである。添付ボタン５２Ｅを使用することにより、特定医行為を実施する際の患者の実際の状況などを撮影した動画や写真を添付することができる。
【００６８】
報告ボタン５２Ｆは、実施結果入力画面５２で入力した報告内容を含む実施結果を送信する指示をする操作部であり、キャンセルボタン５２Ｇは、入力内容をキャンセルするボタンである。報告ボタン５２Ｆが操作されると、担当者端末１４から、実施結果を送信する送信要求がチーム医療支援サーバ１２に送信される。
【００６９】
図３において、要求振り分け部３１Ａは、実施結果の送信要求を受信した場合には、実施結果を実施結果受付部３１Ｆに入力する。実施結果受付部３１Ｆは、入力された実施結果を受け付けて、受け付けた実施結果を所定のフォーマットに変換して送信用のデータを作成する。作成した実施結果は、配信部３１Ｃによって指示元の管理者宛のアドレスに送信されて、管理者端末１３に配信される。本例では、指示元の管理者Ｄ１のアドレスに送信されて、管理者Ｄ１の管理者端末１３に配信される。このように、配信部３１Ｃは、実施結果配信部としても機能する。
【００７０】
図９に示す包括的指示表示画面５１において、質問ボタン５１Ｇが操作されると、図１１に示す質問入力画面５３に遷移する。特定医行為を実施する際に、例えば、予め提示された判断内容に関して、患者の測定値が適正範囲外である場合には、担当者Ｎ１は、特定医行為を実施すべきか中止すべきかの判断ができない。このような具体的指示などの質問が必要になった場合には、担当者Ｎ１から管理者Ｄ１に対して質問が行われる。
【００７１】
図１１に示すように、質問入力画面５３には、特定医行為の種類を示す表示欄５３Ａ、報告内容を入力する入力欄５３Ｂ、質問事項を入力する入力欄５３Ｃが設けられている。入力欄５３Ｂには、判断内容として提示された項目に関する患者の測定値が入力される。本例では、呼吸回数の最大値が適正範囲を上回っており、ＳＰＯ２の最小値が適正範囲を下回っている例を示している。入力欄５３Ｃには、例えば、呼吸回数とＳＰＯ２が適正範囲から外れていること、今後の対応について具体的指示を希望することなどが、質問事項として入力される。なお、入力欄５３Ｂにおいて、適正範囲から外れている報告値（ハッチングで示す）については、適正範囲内の報告値と識別可能に表示することが好ましい。
【００７２】
また、担当者端末１４において、入力された測定値（報告値）が適正範囲内にあるか否かを自動的に判定して、質問を作成してもよい。特定医行為の指示には適正範囲も含まれているので、担当者端末１４は、報告値が適正範囲内か否かを判定して、報告値が適正範囲から外れている場合には、予め設定された定型文のメッセージを利用して質問を自動的に作成する。このような自動化により、担当者の入力ミスを減らすことができる。
【００７３】
入力欄５３Ｃの下方には、送信ボタン５３Ｄとキャンセルボタン５３Ｅが設けられている。送信ボタン５３Ｄが操作されると、担当者端末１４から、入力した内容の質問を送信する送信要求がチーム医療支援サーバ１２に送信される。キャンセルボタン５３Ｅは、入力内容をキャンセルするボタンである。
【００７４】
図３において、要求振り分け部３１Ａは、質問の送信要求を受信した場合には、質問／回答受付部３１Ｅに入力する。質問／回答受付部３１Ｅは、受け付けた質問を所定のフォーマットに変換して送信用のデータを作成する。作成した質問は、配信部３１Ｃによって指示元の管理者宛のアドレスに送信されて、管理者端末１３に配信される。本例では、指示元の管理者Ｄ１のアドレスに送信されて、管理者Ｄ１の管理者端末１３に配信される。このように、質問／回答受付部３１Ｅは、質問受付部としても機能し、配信部３１Ｃは、質問配信部としても機能する。
【００７５】
図１２に示すように、管理者端末１３では、回答入力画面５４によって、配信された質問に対する回答を入力することができる。回答入力画面５４には、質問入力画面５３で入力された、特定医行為の種類、報告内容、質問事項をそれぞれ表示する表示欄５４Ａ、５４Ｂ、５４Ｃが設けられている。これにより、管理者Ｄ１は、質問内容を確認することができる。表示欄５４Ｃの下方には、質問に対する回答（具体的指示を含む）を入力する入力欄５４Ｄが設けられている。入力欄５４Ｄには、例えば、報告値の範囲を確認したこと（「範囲確認」）、その範囲であれば特定医行為Ａを実施して構わないこと（「実施ＯＫ」）などが入力される。
【００７６】
入力欄５４Ｄの下方には、送信ボタン５４Ｅとキャンセルボタン５４Ｆが設けられている。送信ボタン５４Ｅが操作されると、管理者端末１３から、入力した内容の回答を送信する送信要求がチーム医療支援サーバ１２に送信される。キャンセルボタン５４Ｆは、入力内容をキャンセルするボタンである。
【００７７】
また、管理者端末１３において、報告値について、予め設定された許容範囲内にあるか否かを自動的に判定して、判定結果及びその後の指示を自動で回答するようにしてもよい。この場合には、例えば、管理者端末１３内に、管理者Ｄ１によって許容範囲が記録された許容範囲テーブルを格納しておく。管理者端末１３は、質問を受信した場合に、許容範囲テーブルを参照して、報告値が許容範囲内にあるか否かを判定する。報告値が許容範囲内にある場合には、上述の入力欄５４Ｄに入力された「範囲確認」、「実施ＯＫ」などの定型文のメッセージを利用して回答が自動的に作成される。
【００７８】
一方、報告値が許容範囲内に無い場合には、その旨の警告を画面に表示して、管理者Ｄ１に報せて、回答の入力を促す。また、報告値が許容範囲内に無い場合には、作業を中止すべきメッセージを含む回答を自動的に作成してもよい。なお、許容範囲テーブルについては、管理者端末１３内に格納する代わりに、例えばチーム医療支援サーバ１２などに格納して、ネットワークを介して参照するようにしてもよい。
【００７９】
図３において、要求振り分け部３１Ａは、回答の送信要求を受信した場合には、質問／回答受付部３１Ｅに入力する。質問／回答受付部３１Ｅは、受け付けた回答を所定のフォーマットに変換して送信用のデータを作成する。作成した回答は、配信部３１Ｃによって管理者によって選択された担当者宛のアドレスに送信されて、担当者端末１４に配信される。本例では、担当者Ｎ１のアドレスに送信されて、担当者Ｎ１の担当者端末１４に配信される。このように、質問／回答受付部３１Ｅは、回答受付部としても機能し、配信部３１Ｃは、回答配信部としても機能する。
【００８０】
以下、上記構成による作用について、図１３に示すフローチャートを参照しながら説明する。管理者Ｄ１は、特定医行為の包括的指示を行う場合には、まず、管理者端末１３において、特定医行為選択画面４１を通じて所望の特定医行為を１つ選択する。特定医行為選択画面４１で特定医行為、例えば、特定医行為Ａが選択されると、管理者端末１３から特定医行為Ａの選択情報がチーム医療支援装置１２に送信される。
【００８１】
チーム医療支援装置１２において、担当者検索部３１Ｂは、要求振り分け部３１Ａから入力される、特定医行為Ａの選択情報を受け付ける。担当者検索部３１Ｂは、支援ＤＢ１２Ａの第１関連情報４６を参照して、特定医行為Ａを実施可能な担当者を検索して、担当者検索結果を出力する。また、担当者検索部３１Ｂは、支援ＤＢ１２Ａのスケジュール情報４７を参照して、担当者検索結果に対して担当者毎の作業スケジュールを挿入する。配信部３１Ｃは、担当者検索結果を管理者Ｄ１のアドレスに送信する。これにより、管理者端末１３に担当者検索結果が配信される。
【００８２】
管理者端末１３は、担当者検索結果を受信すると、図７に示す担当者選択画面４８を表示する。担当者選択画面４８には、選択した特定医行為Ａを実施可能な担当者のリストが表示されるので、管理者Ｄ１は、特定医行為Ａの実施が可能な担当者を簡単に特定することができる。このため、迅速な診療が可能となる。
【００８３】
また、担当者選択画面４８には、担当者毎に、特定医行為の実施回数が表示される。同じ特定医行為であっても、患者の属性（年齢や性別）、患者の状態によって難易度が変わる場合もある。実施回数は、担当者の経験値を表す指標となる。管理者は、担当者の候補が複数人いる場合には、相対的に難易度が高い患者の場合には実施回数が多い担当者を選定するというように、実施回数を担当者の選定の参考にすることができる。また、担当者選択画面４８には、担当者毎の作業状態も表示される。作業状態が表示されることにより、例えば、管理者Ｄ１が希望する実施日時に作業が可能な担当者を選択することができる。
【００８４】
管理者Ｄ１は、担当者選択画面４８において担当者を選択後、図８に示す判断内容入力画面４９で判断内容を入力して、包括的指示を送信する。チーム医療支援装置１２は、管理者端末１３から包括的指示の送信要求に基づいて、包括的指示通知を作成し、担当者端末１４に配信する。担当者Ｎ１は、図９に示す包括的指示表示画面５１で包括的指示の内容を確認する。
【００８５】
担当者Ｎ１は、特定医行為の実施を開始する際には、包括的指示表示画面５１の実施開始ボタン５１Ｅを操作して実施開始通知を送信する。これにより、管理者Ｄ１は、担当者Ｎ１による特定医行為の実施を確認することができる。担当者Ｎ１は、包括的指示表示画面５１に表示される判断内容と、患者の測定値とを照合して、特定医行為を実施可能か判断する。測定値が適正範囲に入っている場合には、実施可と判断して特定医行為を実施する。
【００８６】
測定位置が適正範囲外の場合のように、具体的指示や質問が必要となる場合には、図１１に示す質問入力画面５３で質問を入力することができる。チーム医療支援装置１２は、受け付けた質問を指示元の管理者Ｄ１の管理者端末１３に配信する。管理者Ｄ１は、図１２に示す回答入力画面５４で質問を確認して回答を入力することができる。チーム医療支援装置１２は、選択された担当者Ｎ１の担当者端末１４に回答を配信する。
【００８７】
担当者Ｎ１は、特定医行為の実施が完了した場合には、図１０に示す実施結果入力画面５２で報告内容を入力する。必要に応じて写真や動画を添付して、実施結果を報告する。チーム医療支援装置１２は、担当者端末１４から受け付けた実施結果を管理者端末１３に配信する。これにより、管理者Ｄ１は、実施結果を確認することができる。
【００８８】
以上のとおり、本実施形態のチーム医療支援サーバ１２によれば、特定医行為を実施可能な担当者の特定を簡単に行うことができる。加えて、特定医行為の実施に際して必要となる、管理者から担当者への包括的指示の伝達と、実施結果の伝達と、担当者からの質問や質問に対する管理者からの回答の伝達とをスムーズに行うことができる。これにより、チームで行うことになる特定医行為に対して充実した支援が可能となる。
【００８９】
上記実施形態では、担当者として医師以外の医療スタッフを例に説明したが、担当者は医師であってもよい。例えば、新人の医師や研修医など熟練度が低い医師の場合には、熟練度の高い医師の包括的指示に基づいて、特定医行為を実施する場合もありうる。チーム医療支援装置１２は、このような場合にも利用することができる。
【００９０】
「第２実施形態」
図１４に示すように、質問入力画面５３において、質問事項を入力する入力欄５３Ｃの入力の際に、予め設定された質問の候補を表示する質問候補表示画面６１を表示してもよい。質問の候補は、例えば、支援ＤＢ１２Ａに格納される。質問／回答受付部３１Ｅは、特定医行為の選択情報に基づいて、質問の候補の中から、選択された特定医行為に関する質問の候補を抽出する。抽出した質問の候補を、配信部３１Ｃを通じて担当者端末１４に配信する。そして、質問候補表示画面６１において選択された質問の候補が入力欄５３Ｃに入力される。質問／回答受付部３１Ｅは、入力された質問を受け付ける。
【００９１】
図１５に示すように、回答入力画面５４においても、同様の回答候補表示画面６２を表示してもよい。回答の候補は予め設定されており、支援ＤＢ１２Ａに格納される。質問／回答受付部３１Ｅは、特定医行為の選択情報に基づいて、回答の候補の中から、選択された特定医行為に関する回答の候補を抽出する。抽出した質問の候補を、配信部３１Ｃを通じて管理者端末１３に配信する。そして、回答候補表示画面６２において選択された回答の候補が入力欄５４Ｄに入力される。質問／回答受付部３１Ｅは、入力された回答を受け付ける。
【００９２】
もちろん、質問や回答の候補を選択して入力した後、候補の文章や文言に関して、追加、変更、削除などの編集が行えるようにしてもよい。
【００９３】
「第３実施形態」
図１６〜図１８に示す第３実施形態は、指示元の管理者が質問に回答できない場合に、指示元の管理者に代わって回答をしてもらう回答者検索機能と、検索された回答者が複数人いる場合にその中から少なくとも１人を自動的に選定する回答者選定機能とを有する形態である。図１６に示すように、第３実施形態のチーム医療支援装置１２は、ＣＰＵ３１が、回答者検索部３１Ｇ、回答者選定部３１Ｈとして機能すること、さらに、支援ＤＢ１２Ａに第２関連情報６４が格納されることを除いて、第１実施形態のチーム医療支援装置１２（図３参照）と同様である。以下、相違点を説明して、同一部分については説明を省略する。支援ＤＢ１２Ａは、第２関連情報格納部に相当する。
【００９４】
図１８に示すフローチャートで示すように、Ｓ（ステップ）１００において、質問／回答受付部３１Ｅは、指示元の管理者が回答不能か否かを判定する。例えば、質問／回答受付部３１Ｅは、質問を受け付けた質問をログに記録しておき、一定時間経過しても回答が無い場合に指示元の管理者が回答不能と判定する（Ｓ１００でＹ）。あるいは、質問をする担当者から同じ質問の再送があったり、管理者からの回答が無い旨の通知を受けた場合に、指示元の回答者が回答不能と判定してもよい。
【００９５】
質問／回答受付部３１Ｅは、指示元の管理者が回答不能と判定した場合、回答者検索部３１Ｇに対して回答者の検索指示を入力する。回答者検索部３１Ｇは、指示元以外の管理者の中から回答可能な回答者を検索する（Ｓ１０１）。例えば、回答者検索部３１Ｇは、第２関連情報６４に基づいて、指示元以外の管理者の中から、質問に対する回答が可能な回答者を検索する。具体的には、指示元の管理者が包括的指示を行った特定医行為と同一の特定医行為について包括的指示が可能な回答者を検索する。
【００９６】
図１７に示すように、第２関連情報６４は、病院１１内の複数の管理者と、管理者毎に包括的指示が可能な特定医行為の種類とが関連付けられた情報である。図１７においては、管理者Ｄ１は、特定医行為Ａ〜Ｄが可能で、管理者Ｄ２は、特定医行為Ａ、Ｃが可能で、管理者Ｄ３は、特定医行為Ａ、Ｄが可能である例を示している。同種の特定医行為に対して包括的指示を行う権限が無いと、質問に対する適切な回答が得られない可能性がある。そのため、回答者検索部３１Ｇは、第２関連情報６４に基づいて、指示元以外の管理者の中から、指示元の管理者が指示を行った特定医行為と同一の特定医行為について包括的指示が可能な管理者を回答者として検索する。
【００９７】
例えば、管理者Ｄ１が指示元で、特定医行為Ａに関する包括的指示が行われている場合には、回答者検索部３１Ｇは、管理者Ｄ１以外の管理者の中から特定医行為Ａに関する包括的指示が可能な管理者を検索する。図１７に示す例では、管理者Ｄ２、Ｄ３がともに特定医行為Ａが可能であるため、管理者Ｄ２、Ｄ３が回答者として抽出される。
【００９８】
図１８において、回答者選定部３１Ｈは、回答者検索部３１Ｇにおいて、複数人の回答者が抽出された場合に、予め設定されている選定条件に基づいて、複数人の回答者の中から、１人を選定する（Ｓ１０２）。回答者選定部３１Ｈは、例えば、予め設定された複数の管理者間の関連性に基づいて、指示元の管理者と関連性が高い指示元以外の管理者を回答者として選定する。本例において、第２関連情報６４には、複数の管理者間の関連性が記録されている。
【００９９】
例えば、図１７において、関連性は、例えば１０段階で評価された評価値が記録されている。管理者Ｄ１と管理者Ｄ２は、評価値が「１０」で関連性が高いことを示している。一方、管理者Ｄ１について、管理者Ｄ３との関連性は評価値が「５」で、管理者Ｄ４との関連性は評価値が「２」である。そのため、管理者Ｄ１は管理者Ｄ２との関連性が最も高いことが分かる。関連性の評価値は、例えば、管理者の過去の共同作業実績などに基づいて評価される。より具体的には、同じチームとして共同作業を行ったことがあるか、あるいは、現在または過去において、職務上、上司と部下の関係にあったか否かなどに基づいて評価される。また、一方の管理者から補助管理者として指名を受けているか否か、職務上、補助管理者の地位にあるか否かなども考慮される。
【０１００】
こうした関連性が高いほど、管理者間での意思疎通が密と考えられるため、作業の進め方、診療に関する考え方などをお互いに理解している可能性が高い。そのため、関連性が高い管理者を回答者として選定することにより、指示元の管理者の意向に沿った回答が得られやすい。
【０１０１】
図１８において、回答者選定部３１Ｈは、配信部３１Ｃを通じて、関連性に基づいて選定した回答者に対して、質問を配信する（Ｓ１０３）。これにより、指示元の管理者が回答できない場合でも、担当者は質問の回答を得ることができるので、特定医行為の遅滞が防止されて、迅速な対応を行うことができる。なお、回答者選定部３１Ｈは、抽出された回答者が１人の場合には、当該回答者に対して質問を配信する。
【０１０２】
多忙を極める医療現場においては、包括的指示が行われた後、担当者が質問をした場合に、指示元の管理者から回答が得られない場合も多々考えられる。しかし、患者の状態などによっては迅速な対応が求められる場合もあるため、そのような場合に備えて、指示元の管理者に代わって別の管理者に回答してもらえることが好ましい。本実施形態は、包括的指示に基づく特定医行為をスムーズに実施するために非常に有用である。しかも関連性に基づいて回答者を選定すれば、指示元の管理者の意向に沿った回答が得られる可能性が高いため、さらに有用である。
【０１０３】
本例においては、関連性に基づいて回答者の選定を行っているが、関連性に代えて、またはそれに加えて、管理者の作業状態に基づいて回答者を選定してもよい。作業状態は、上述した担当者の場合と同様に、管理者が実施中又は実施予定の作業の有無、及び作業内容のうち少なくとも１つを表す情報である。管理者の作業状態は、例えば、支援ＤＢ１２Ａ内のスケジュール情報４７に基づいて把握することができる。スケジュール情報４７には、図６に示すように、管理者の作業スケジュールが記録されている。回答者選定部３１Ｈは、スケジュール情報４７に基づいて、例えば、作業が比較的少ない管理者を回答者として選定する。
【０１０４】
本例では、回答者選定部３１Ｈが自動的に回答者を選定する例で説明したが、回答者選定部３１Ｈによる自動選定を行わずに、回答者検索部３１Ｇによる回答者検索結果を担当者端末１４に配信して、回答者検索結果の中から担当者に１人の回答者を選定させてもよい。
【０１０５】
また、回答者選定部３１Ｈは、回答者を複数人選定して、配信部３１Ｃが、選定された複数人の回答者に対して質問を配信することにより、複数人からの回答が得られるようにしてもよい。回答者を選定しても、その回答者が急用等により回答できない事態が生じる可能性もあり得る。複数人の回答者を選定しておけば、回答が１件も得られないというリスクを軽減することができる。
【０１０６】
一方で、複数人から回答がある場合には、複数人からの回答相互間で回答内容が異なっている場合も考えられる。そのような場合に備えて、図１９に示すように、チーム医療支援サーバ１２は、１つの質問に対して複数の回答があった場合には、担当者に対して配信する複数の回答に優先度情報を付与することが好ましい。
【０１０７】
優先度情報は、複数の回答のどちらを優先して採用すべきかを担当者に知らせるための情報である。優先度情報は、例えば、第２関連情報６４に基づいて付与される。第２関連情報６４は、上述のとおり、回答者の選定に用いられる情報であり、複数の管理者同士の関連性が記録されている。質問／回答受付部３１Ｅは、指示元との関連性が高い回答者の回答に対して高い優先度を付与する。もちろん、優先度を、関連性以外の情報、例えば、回答者である医師の経験年数、職位などに基づいて付与してもよい。担当者は、複数の回答を受信した場合には優先度情報を参考にして、回答を取捨選択することができる。
【０１０８】
図１９において、Ｓ２００、Ｓ２０１の各ステップは、図１８のＳ１００、Ｓ１０１と同様である。チーム医療支援サーバ１２において、回答者選定部３１Ｈは、抽出された複数の回答者の中から複数の回答者を選定する（Ｓ２０３）。回答者選定部３１Ｈは、複数の回答者を選定した場合には、その旨と質問のＩＤを、質問／回答受付部３１Ｅに通知する。質問／回答受付部３１Ｅは、その通知を記録して、回答を待機する。配信部３１Ｃは、選定した複数の回答者に質問を配信する（Ｓ２０３）。
【０１０９】
質問／回答受付部３１Ｅは、Ｓ２０４において、回答を受信した場合には、質問ＩＤと照合して、受信した回答が、複数人の回答者に配信した質問に対する回答か否かを判定する。複数人の回答者に配信した質問に対する回答と判定した場合には、回答に優先度情報を付与して配信する（Ｓ２０５）。
【０１１０】
また、選定した複数の回答者に対して質問を配信した場合には、チーム医療支援サーバ１２において、複数の回答者からの回答が時間差をもって受信される場合も考えられる。この場合には、質問した担当者に対して、優先度が高い回答が、優先度が低い回答よりも遅れて到達する可能性もある。そのため、チーム医療支援サーバ１２は、複数の回答者に対して質問を配信した場合には、１人からの回答を受信した場合でも、一定時間、他の回答者からの回答を待った上で、回答を担当者端末１４に配信することが好ましい。これによれば、担当者に対して、優先度が高い回答が低い回答よりも遅れて到達することを抑止できる。
【０１１１】
また、チーム医療支援サーバ１２が、一定時間待たずに、担当者に対して受信した順番に順次回答を配信する場合には、担当者が１通の回答を受信した時点で、その回答内容に従って作業を開始してしまう場合もある。その場合には、担当者から作業を開始した旨の通知をチーム医療支援サーバ１２が受信するようにして、作業開始の通知を受信した以後は、当該質問に対する回答については、チーム医療支援サーバ１２から担当者に対する配信を中止してもよい。担当者が作業を開始した後に、内容が異なる回答を受け取っても、担当者は混乱するだけで役に立たないと考えられるからである。
【０１１２】
また、優先度情報を付与して回答を配信する代わりに、チーム医療支援サーバ１２において、複数人の回答の優先度を判定して、優先度が最も高い１通の回答のみを担当者に対して配信してもよい。これによれば、担当者が異なった内容の複数の回答を見て判断に迷うこともない。
【０１１３】
また、回答内容が異なる複数の回答を受信した場合に、担当者が複数の回答のうちどれを採用すればよいかについて、回答者と手軽に連絡ができることが好ましい。そこで、担当者端末１４と回答者の端末間で、チャット機能などと呼ばれる、端末間における簡易会話機能を簡単に実行できるようにしてもよい。チャットは、電子メールと異なり、よりリアルタイムに近い会話を可能にする。
【０１１４】
簡単にチャットを開始できるようにするために、例えば、担当者端末１４において回答を表示する回答表示画面内に、チャット機能を開始するためのチャットボタンを設ける。チャットボタンは、例えば、図１１に示す送信ボタン５３Ｄやキャンセルボタン５３Ｅのような形態で設けられる。
【０１１５】
これによれば、チャット専用アプリケーションを別途起動する操作をすることなく、担当者端末１４の回答表示画面からチャット機能を開始する操作が可能になる。チャットボタンが操作されると、例えば、担当者端末１４からチャット要求がチーム医療支援サーバ１２に送信される。チーム医療支援サーバ１２は、チャット要求を受け付けると、回答者の端末に対してチャットへの参加を促す勧誘メッセージを送信する。回答者に時間的な余裕があり、勧誘に応じることができれば、チャットが可能になる。
【０１１６】
また、チーム医療支援サーバ１２から管理者や選定した回答者に対して質問を配信したにも関わらず、質問に対する回答が１通も無い場合も考えられる。その場合には、担当者は作業の継続が困難なので、チーム医療支援サーバ１２から質問の送信元の担当者端末１４に対して、包括的指示を行った特定医行為の作業を中止する指示を通知することが好ましい。具体的には、質問／回答受付部３１Ｅが、質問に対する回答の有無を監視して、一定時間回答が無い場合には、質問の送信元の担当者端末１４に対して作業中止指示を通知する。
【０１１７】
また、チーム医療支援サーバ１２において、管理者端末１３、担当者端末１４、及び回答者端末との通信の記録に関して、端末ＩＤや通信時刻に加えて、通信内容、具体的には、包括的指示の内容、質問の内容、回答の内容も含めて、通信履歴５０に記録しておくことが好ましい。通信履歴５０は、キーワードなどによって検索できるようにデータベース化した形態で格納しておくことが好ましい。
【０１１８】
また、質問の回答を確実に得る対策として、質問の配信方法を変更可能としてもよい。例えば、質問の配信方法が電子メールであったため、指示元の管理者がたまたま気付かなかったという場合もあり得る。そのため、電子メールで通知した後、回答が無い場合には管理者端末１３に電話を掛けたり、所属の診療科の固定電話に電話を掛けるという配信方法をとってもよい。電話の場合には、例えば、電話して着信が有った場合に予め録音したメッセージを再生するなどの方法で行う。こうした配信方法の変更は、質問／受付部３１Ｅからの指令に基づいて配信部３１Ｃが実行する。
【０１１９】
また、管理者の作業スケジュールに基づいて配信方法を変更してもよい。例えば、図６に示すように、作業スケジュールには、管理者が実施中の作業項目に加えて、作業場所も記録されている。作業場所の情報に基づいてその場所の電話に連絡するといった配信方法も考えられる。
【０１２０】
このように、包括的指示に基づく特定医行為をスムーズに実施するに当たっては、管理者と担当者の意思疎通が重要であるため、配信方法の変更など意思疎通をスムーズに行う構成は非常に有用である。
【０１２１】
上記実施形態では、病院１１内の管理者Ｄ１と担当者Ｎ１、Ｎ２のチームＴによって実施される特定医行為を例に説明したが、図１に示すように、チーム医療支援装置１２はＶＰＮルータ２１を介して院外の管理者Ｄ３の管理者端末１３との通信も可能であるため、院外の管理者Ｄ３と病院１１内の担当者Ｎ１、Ｎ２によるチームによって特定医行為を実施することも可能である。
【０１２２】
上記実施形態では、管理者が１人で担当者が複数人のチームを例に説明したが、チームは管理者が複数人でもよいし、担当者が１人でもよい。また、上記実施形態における特定医行為の種類は、１例であり、本発明は、褥瘡の壊死組織の除去、中心静脈カテーテルの抜去、胃ろうチューブの交換など他の特定医行為にも適用可能である。
【０１２３】
本発明は、上記実施形態に限定されるものではなく、本発明の趣旨を逸脱しない範囲で適宜変更が可能である。例えば、上記実施形態を適宜組み合わせてもよい。
【符号の説明】
【０１２４】
１０  チーム医療支援システム
１２  チーム医療支援サーバ
１３  管理者端末
１４  担当者端末
１７  ＬＡＮ
２１  ＶＰＮルータ
３１  ＣＰＵ
３１Ａ  要求振り分け部
３１Ｂ  担当者検索部
３１Ｃ  配信部
３１Ｄ  通知作成部
３１Ｅ  質問／回答受付部
３１Ｆ  実施結果受付部
３１Ｇ  回答者検索部
３１Ｈ  回答者選定部
４６  第１関連情報
４７  スケジュール情報
６４  第２関連情報
【図１】
2016071847.tif 000003
【図２】
2016071847.tif 000004
【図３】
2016071847.tif 000005
【図４】
2016071847.tif 000006
【図５】
2016071847.tif 000007
【図６】
2016071847.tif 000008
【図７】
2016071847.tif 000009
【図８】
2016071847.tif 000010
【図９】
2016071847.tif 000011
【図１０】
2016071847.tif 000012
【図１１】
2016071847.tif 000013
【図１２】
2016071847.tif 000014
【図１３】
2016071847.tif 000015
【図１４】
2016071847.tif 000016
【図１５】
2016071847.tif 000017
【図１６】
2016071847.tif 000018
【図１７】
2016071847.tif 000019
【図１８】
2016071847.tif 000020
【図１９】
2016071847.tif 000021